(57)【要約】      （修正有）【課題】狭い場所でも収納物の収納・取出しが容易なバッグ、およびパーソナルコンピュータ用バッグの提供。【解決手段】バッグ本体２が、前面部３と後面部４と前面部および後面部を一体に連設する外周枠部５とを有し、上下方向且つ前後方向に亙って仕切る上下方向仕切り部材２０と、上下方向仕切り部材の高さ方向途中位置で左右方向且つ前後方向に亙って仕切る左右方向仕切り部材２１とを設け、上下方向仕切り部材および左右方向仕切り部材で仕切られるそれぞれの収納部に相当する外周枠部上の相当部分に各収納部を開閉するスライドファスナ５０．５１．５２を外周方向に沿うように別個に設け、外周枠部上の複数のスライドファスナのうち少なくとも周方向に隣合う一対のスライドファスナどうし５０．５１が、バッグ本体の前後方向に位置ずれしているバッグ。【選択図】図１
0003117507.tif 000002
【実用新案登録請求の範囲】
【請求項１】
直方体形状に形成されたバッグ本体が、前面部と後面部と前面部および後面部を一体に連設する外周枠部とを有するバッグであって、上下方向且つ前後方向に亙って仕切る上下方向仕切り部材と、上下方向仕切り部材の高さ方向途中位置で左右方向且つ前後方向に亙って仕切る左右方向仕切り部材とを設け、前記上下方向仕切り部材および左右方向仕切り部材で仕切られるそれぞれの収納部に相当する外周枠部上の相当部分に各収納部を開閉するスライドファスナを外周方向に沿うように別個に設け、外周枠部上の複数のスライドファスナのうち少なくとも周方向に隣合う一対のスライドファスナどうしが、バッグ本体の前後方向に位置ずれしていることを特徴とするバッグ。
【請求項２】
上下方向仕切り部材によってバッグ本体内が左右に二分されて左右の収納部が形成され、該二分された左右の収納部のうちの一方が左右方向仕切り部材によって上下に二分されて上下の収納部が形成される構成としていることを特徴とする請求項１記載のバッグ。
【請求項３】
上下方向仕切り部材および左右方向仕切り部材のそれぞれの前後方向一方部はバッグ本体の前面部または後面部の内面のうちの何れか一方に縫着されており、上下方向仕切り部材および左右方向仕切り部材のそれぞれの前後方向他方部は、バッグ本体の前面部または後面部の内面のうちの何れか他方に縫着されていることを特徴とする請求項１または請求項２記載のバッグ。
【請求項４】
上下方向仕切り部材および左右方向仕切り部材のそれぞれの前後方向一方部はバッグ本体の前面部または後面部の内面のうちの何れか一方に縫着されており、上下方向仕切り部材および左右方向仕切り部材のそれぞれの前後方向他方部は、面ファスナを介してバッグ本体の前面部または後面部の内面のうちの他方に着脱自在とされていることを特徴とする請求項１または請求項２記載のバッグ。
【請求項５】
複数のスライドファスナのうち、少なくとも一つのスライドファスナの端部が、その収納部に隣合う収納部における外周枠部上の相当部分にまで延長されていることを特徴とする請求項１ないし請求項４の何れかに記載のバッグ。
【請求項６】
直方体形状に形成されたバッグ本体が、前面部と後面部と前面部および後面部を一体に連設する外周枠部とを有するパーソナルコンピュータ用バッグであって、上下方向且つ前後方向に亙って仕切る上下方向仕切り部材と、上下方向仕切り部材の高さ方向途中位置で左右方向且つ前後方向に亙って仕切る左右方向仕切り部材とを設け、上下方向仕切り部材によってバッグ本体内が左右に二分されて左右の収納部が形成されることで一方がパーソナルコンピュータの収納部とされ、二分された左右の収納部のうちの他方が左右方向仕切り部材によって上下に二分されて付属品を収納する上下の収納部とされ、それぞれの収納部に相当する外周枠部上の相当部分に各収納部を開閉するスライドファスナを外周方向に沿うように別個に設け、外周枠部上の複数のスライドファスナのうち、パーソナルコンピュータの収納部を開閉するスライドファスナが、付属品の収納部を開閉するスライドファスナに対して前後方向に位置ずれしていることを特徴とするパーソナルコンピュータ用バッグ。
【請求項７】
上下方向仕切り部材および左右方向仕切り部材のそれぞれの前後方向一方部はバッグ本体の前面部または後面部の内面のうちの何れか一方に縫着されており、上下方向仕切り部材および左右方向仕切り部材のそれぞれの前後方向他方部は、バッグ本体の前面部または後面部の内面のうちの何れか他方に縫着されていることを特徴とする請求項６記載のパーソナルコンピュータ用バッグ。
【請求項８】
上下方向仕切り部材および左右方向仕切り部材のそれぞれの前後方向一方部はバッグ本体の前面部または後面部の内面のうちの何れか一方に縫着されており、上下方向仕切り部材および左右方向仕切り部材のそれぞれの前後方向他方部は、面ファスナを介してバッグ本体の前面部または後面部の内面のうちの他方に着脱自在とされていることを特徴とする請求項６記載のパーソナルコンピュータ用バッグ。
【請求項９】
複数のスライドファスナのうち、少なくとも一つのスライドファスナの端部が、その収納部に隣合う収納部における外周枠部上の相当部分にまで延長されていることを特徴とする請求項６ないし請求項８の何れかに記載のパーソナルコンピュータ用バッグ。
【考案の詳細な説明】
【技術分野】
【０００１】
本考案は、バッグあるいは、運搬性の良好なノート型のパーソナルコンピュータ（以下単に「パソコン」と称す）を収納して移動するのに好適なパーソナルコンピュータ用バッグ（キャリングバッグともいう）に関する。
【背景技術】
【０００２】
一般に、パソコンは、場合に応じてアダプターやマウスを接続して使用する。これは運搬性の良好なノート型のパソコンでも同様である。ノート型のパソコンを持運びするには、一般に専用のバッグが用いられる。そして、ノート型のパソコンを持運びする際には、アダプターやマウス等の付属品はパソコン本体から接続を外して、一つのバッグに収納して持運びされる。
【０００３】
このためバッグの内部にパソコンと付属品とを分離した状態で収納可能としたバッグが種々提案されている（例えば、特許文献１参照）。このバッグでは、偏平な直方体状のバッグ本体にパソコンと付属品を分離して収納する仕切りを設けている。そして、バッグ本体の前面部を全面的に開閉してパソコン、付属品の収納・取出し作業を行うようにしている。
【特許文献１】特開２００２−２６２９１８号公報
【考案の開示】
【考案が解決しようとする課題】
【０００４】
しかしながら上記従来のバッグでは、パソコンの収納・取出し作業を行う際、バッグ本体の前面部を全面的に開放しなければならない構成となっているから、狭い場所でのパソコンの収納、取出し作業をしにくい。これは、パソコン用バッグに限らずこの種のバッグに共通の課題であった。
【０００５】
そこで本考案は、上記課題に鑑み、狭い場所でも収納物の収納・取出しが容易なバッグ、およびパソコンやその付属品等の収納・取出しが容易なパーソナルコンピュータ用バッグの提供を課題とする。
【課題を解決するための手段】
【０００６】
本考案のバッグは、直方体形状に形成されたバッグ本体が、前面部と後面部と前面部および後面部を一体に連設する外周枠部とを有し、上下方向且つ前後方向に亙って仕切る上下方向仕切り部材と、上下方向仕切り部材の高さ方向途中位置で左右方向且つ前後方向に亙って仕切る左右方向仕切り部材とを設け、前記上下方向仕切り部材および左右方向仕切り部材で仕切られるそれぞれの収納部に相当する外周枠部上の相当部分に各収納部を開閉するスライドファスナを外周方向に沿うように別個に設け、外周枠部上の複数のスライドファスナのうち少なくとも周方向に隣合う一対のスライドファスナどうしが、バッグ本体の前後方向に位置ずれしていることを特徴としている。
【０００７】
上記構成において、上下方向仕切り部材を上下に亙すことでバッグ本体内が左右の複数の収納部に仕切られ、かつ左右方向仕切り部材を左右に亙すことで、上下方向仕切り部材によって左右に仕切られた収納部が上下に仕切られているから、収納物どうしの干渉が防止され、各収納部は、それぞれに対応する外周枠部に設けたスライドファスナを操作することで開閉されるから、バッグの前面部を全面的に開閉する必要がなくなって狭い場所でも収納物を収納・取出しすることが容易となり、外周枠部上で前後に位置ずれしているスライドファスナを開閉して収納する収納物の形状に応じてその収納部を用いることで、使い易いバッグとなり、しかも各収納部に収納物を収納することで収納物が整然とバッグの中に収納される。
【０００８】
さらに、少なくとも周方向に隣合う一対のスライドファスナどうしが、バッグ本体の前後方向に位置ずれしているから、前後幅の小さい方に相当する側の前面部あるいは後面部を開けるようにすれば、その面部での開閉中心部分の抵抗が、前後幅の大きい方に相当する側の面部を開けるようにした場合に比べて小さいから、開閉動作、特に開くために必要な力がその分だけ小さくてすみ、開閉動作が楽になる。
【０００９】
本考案のバッグは、上下方向仕切り部材によってバッグ本体内が左右に二分されて左右の収納部が形成され、該二分された左右の収納部のうちの一方が左右方向仕切り部材によって上下に二分されて上下の収納部が形成される構成としていることを特徴としている。
【００１０】
上記構成において、左右に二分された一方の収納部に収納物が収納でき、上下に二分された収納部それぞれに収納物を収納することが可能であるから、収納物を整然と収納することが可能になる。
【００１１】
本発明のバッグは、上下方向仕切り部材および左右方向仕切り部材のそれぞれの前後方向一方部はバッグ本体の前面部または後面部の内面のうちの何れか一方に縫着されており、上下方向仕切り部材および左右方向仕切り部材のそれぞれの前後方向他方部は、バッグ本体の前面部または後面部の内面のうちの何れか他方に縫着されていることを特徴としている。
【００１２】
上下方向仕切り部材および左右方向仕切り部材のそれぞれの前後方向一方部及び前後方向他方部を、バッグ本体の前面部の内面、後面部の内面にそれぞれ縫着するすることで、上下方向仕切り部材および左右方向仕切り部材はバッグ本体に確実に固定され、さらにこれら上下方向仕切り部材および左右方向仕切り部材が補強部材の機能を果たして、バッグ本体の定まった形状を維持し易くなる。
【００１３】
本考案のバッグは、上下方向仕切り部材および左右方向仕切り部材のそれぞれの前後方向一方部はバッグ本体の前面部または後面部の内面のうちの何れか一方に縫着されており、上下方向仕切り部材および左右方向仕切り部材のそれぞれの前後方向他方部は、面ファスナを介してバッグ本体の前面部または後面部の内面のうちの他方に着脱自在とされていることを特徴としている。
【００１４】
上記構成において、上下方向仕切り部材、左右方向仕切り部材の前後方向一方部はバッグ本体に縫着されることで固定されているからバッグ本体から分離することがなく、しかも前後方向他方部は面ファスナによってバッグ本体に着脱自在となっているから、上下方向仕切り部材、左右方向仕切り部材の前後方向一方部および前後方向他方部をともにバッグ本体に固定する場合に比べて、バッグの製造が容易である。さらに面ファスナを取外すことで、上下方向仕切り部材、左右方向仕切り部材は縫着部分を中心に回動が可能となるから、収納部どうしを連通させることが可能となって、バッグ本体内の掃除等のメンテナンスが容易になる。
【００１５】
本考案のバッグは、複数のスライドファスナのうち、少なくとも一つのスライドファスナの端部が、その収納部に隣合う収納部における外周枠部の相当部分にまで延長されていることを特徴としている。
【００１６】
上記構成によれば、スライドファスナのスライダが、その収納部に隣合う収納部における外周枠部の相当部分にまで至るから、その収納部の全ての領域を開放することが可能となり、したがって、収納物の収納作業が容易となる。
【００１７】
本考案のパーソナルコンピュータ用バッグは、直方体形状に形成されたバッグ本体が、前面部と後面部と前面部および後面部を一体に連設する外周枠部とを有し、上下方向且つ前後方向に亙って仕切る上下方向仕切り部材と、上下方向仕切り部材の高さ方向途中位置で左右方向且つ前後方向に亙って仕切る左右方向仕切り部材とを設け、上下方向仕切り部材によってバッグ本体内が左右に二分されて左右の収納部が形成されることで一方がパーソナルコンピュータの収納部とされ、二分された左右の収納部のうちの他方が左右方向仕切り部材によって上下に二分されて付属品を収納する上下の収納部とされ、それぞれの収納部に相当する外周枠部上の相当部分に各収納部を開閉するスライドファスナを外周方向に沿うように別個に設け、外周枠部上の複数のスライドファスナのうち、パーソナルコンピュータの収納部を開閉するスライドファスナが、付属品の収納部を開閉するスライドファスナに対して前後方向に位置ずれしていることを特徴としている。
【００１８】
上記構成によれば、上下方向仕切り部材によって形成された左右の収納部の一方をパーソナルコンピュータの収納部としてパーソナルコンピュータを収納し、左右方向仕切り部材によって形成された上下の収納部をパーソナルコンピュータの付属品の収納部としてこれらを収納することが可能となる。また、パーソナルコンピュータおよびその付属品が仕切り部材を介して収納部に収納されることで収納物どうしが干渉しあう状態を回避しつつ収納されるようになり、しかも各収納部は、それぞれに対応する外周枠部に設けたスライドファスナのみを操作することで開閉されるから、バッグの前面部を全面的に開閉することなく、したがって狭い場所でもパーソナルコンピュータ、付属品を収納・取出し可能となる。特に、外周枠部上で前後に位置ずれしているスライドファスナを開閉してパーソナルコンピュータを収納することになるので、所定の厚みを有するパーソナルコンピュータの外側部を覆うことが可能となる。
【００１９】
さらに、パーソナルコンピュータの収納部を開閉するスライドファスナがバッグ本体の前後方向に位置ずれしているから、前後幅の小さい方に相当する側の前面部あるいは後面部を開けるようにすれば、その面部での開閉中心部分の抵抗が、前後幅の大きい方に相当する側の面部を開けるようにした場合に比べて小さいから、開閉動作、特に開くために必要な力がその分だけ小さくてみ、開閉動作が楽になる。また、付属品の収納部に比べてパーソナルコンピュータの収納部はその面積が大きい。しかしながら、このように大きな面積であっても、開閉中心部分の抵抗が小さいから、開閉動作は楽である。
【００２０】
本発明のバッグは、上下方向仕切り部材および左右方向仕切り部材のそれぞれの前後方向一方部はバッグ本体の前面部または後面部の内面のうちの何れか一方に縫着されており、上下方向仕切り部材および左右方向仕切り部材のそれぞれの前後方向他方部は、バッグ本体の前面部または後面部の内面のうちの何れか他方に縫着されていることを特徴としている。
【００２１】
上下方向仕切り部材および左右方向仕切り部材のそれぞれの前後方向一方部及び前後方向他方部を、バッグ本体の前面部の内面、後面部の内面にそれぞれ縫着するすることで、上下方向仕切り部材および左右方向仕切り部材はバッグ本体に確実に固定され、さらにこれら上下方向仕切り部材および左右方向仕切り部材が補強部材の機能を果たして、バッグ本体の定まった形状を維持し易くなる。
【００２２】
本考案のパーソナルコンピュータ用バッグは、上下方向仕切り部材および左右方向仕切り部材のそれぞれの前後方向一方部はバッグ本体の前面部または後面部の内面のうちの何れか一方に縫着されており、上下方向仕切り部材および左右方向仕切り部材のそれぞれの前後方向他方部は、面ファスナを介してバッグ本体の前面部または後面部の内面のうちの他方に着脱自在とされていることを特徴としている。
【００２３】
上記構成において、上下方向仕切り部材、左右方向仕切り部材の前後方向一方部はバッグ本体に縫着されることで固定されているから、バッグ本体から分離することがなく、しかも前後方向他方部は面ファスナによってバッグ本体に着脱自在となっているから、上下方向仕切り部材、左右方向仕切り部材の前後方向一方部および前後方向他方部をともにバッグ本体に固定する場合に比べて、バッグの製造が容易である。さらに面ファスナを取外すことで、上下方向仕切り部材、左右方向仕切り部材は縫着部分を中心に回動が可能となるから、収納部どうしを連通させることが可能となって、バッグ本体内の掃除等のメンテナンスが容易になる。
【００２４】
本考案のパーソナルコンピュータ用バッグは、複数のスライドファスナのうち、少なくとも一つのスライドファスナの端部が、その収納部に隣合う収納部における外周枠部の相当部分にまで延長されていることを特徴としている。
【００２５】
上記構成によれば、スライドファスナのスライダが、その収納部に隣合う収納部における外周枠部の相当部分にまで至るから、その収納部の全ての領域を開放することが可能となり、したがって、収納物の収納作業が容易となる。
【考案の効果】
【００２６】
本考案のバッグおよびパーソナルコンピュータ用バッグによれば、各収納部は、それぞれに対応する外周枠部に設けたスライドファスナを操作することで開閉されるから、バッグの前面部を全面的に開閉することなく収納物をそれぞれ別個に収納・取出し可能となり、狭い場所であっても使い易い。
【考案を実施するための最良の形態】
【００２７】
以下、本考案に係るバッグを、パーソナルコンピュータ（以下「パソコン」と称す）を持運びしたり、収納したりする際に用いるバッグを例に説明する。図１はバッグの全体斜視図、図２はバッグの全体平面図、図３はバッグ本体の前面部を切除した状態の斜視断面図、図４は図３において仕切り部材を倒した状態の斜視断面図、図５は図２におけるＡ−Ａ線断面図で、（ａ）は全体概略断面図、（ｂ）はその一部拡大図、図６は各収納部にパソコン、付属品を収納した状態の正面図、図７はパソコンをパソコン収納部に収納する際の斜視図である。
【００２８】
これらの図に示すように、本考案の実施形態に係るバッグ１は、直方体形状に形成されたバッグ本体２を有し、バッグ本体２は、前面部３と後面部４と前面部３および後面部４を一体に連設する外周枠部５とを有する。外周枠部５は、左右枠体部６，７と上下枠体部８，９とを有して、これら左右枠体部６，７と上下枠体部８，９とは所定の位置で互いに縫着２ａ，２ｂ，２ｃにより一体化されている。また、前面部３と外周枠部５とは互いに縫着により一体化され、さらに後面部４と外周枠部５とは互いに縫着により一体化されている。
【００２９】
上枠体部８の左右方向中心で且つやや後寄りに、運搬用把手１５がその左右端部を上枠体部８に縫着により一体化して設けられている。バッグ本体２は防水性の高い生地で形成され、前面部３、後面部４に対して外周枠部５は硬い生地で形成されている。さらに、前面部３と外周枠部５との取付け部分および後面部４と外周枠部５との取付け部分には、バッグ本体２の直方体形状を保持するための塩化ビニル等による枠状の補強部材１６が固着されている。この構成によって、バッグ本体２に多少の外力が働いたとしても、直方体形状を維持し易い。
【００３０】
図３および図４に示すように、バッグ１は、上下方向仕切り部材２０と、左右方向仕切り部材２１とを有する。上下方向仕切り部材２０は、バッグ本体２内を、左右の領域である左右収納部２２，２３に二分するよう仕切るべくバッグ本体２内で上下方向且つ前後方向に亙るものである。左右方向仕切り部材２１は、上下方向仕切り部材２０の高さ方向途中位置で、上下方向仕切り部材２０によって形成される右収納部２３を、上下の領域である上下の収納部に二分するよう仕切るべくバッグ本体２内で左右方向且つ前後方向に亙るものである。これら上下方向仕切り部材２０、左右方向仕切り部材２１ともに矩形（長方形）平板状に形成されている。
【００３１】
上下方向仕切り部材２０は、バッグ本体２の左右方向中心よりも片側、この場合は右側に位置ずれして配置されており、上下方向仕切り部材２０は、ほぼバッグ本体２の高さに等しい高さを有するとともに、ほぼバッグ本体２の前後幅に等しい幅を有する。
【００３２】
左右方向仕切り部材２１は、上下方向仕切り部材２０の上下方向高さ中心よりも片側、この場合は上方側に位置すれして配置されており、左右方向仕切り部材２１は、上下方向仕切り部材２０から側方に延長されて外周枠部５の右枠体部７に至る左右幅を有するとともに、ほぼバッグ本体２の前後幅に等しい幅を有する。
【００３３】
上下方向仕切り部材２０および左右方向仕切り部材２１のそれぞれの前後方向一方部、すなわちこの場合は前縁部２６ａ，２６ｂのほぼ全域は、バッグ本体２の前面部３の内面に縫着されている。なお、図３，図４では、前縁部２６ａ，２６ｂと前面部３との縫着部分を一点鎖線で表している。上下方向仕切り部材２０および左右方向仕切り部材２１のそれぞれの前後方向他方部、すなわちこの場合は、後縁部２７，２８のほぼ全域には面ファスナ３０，３１の、ループ面３３，３４がバッグ本体２の後面部４の内面に沿うよう折曲げ自在に設けられている。
【００３４】
上下方向仕切り部材２０をバッグ本体２の後面部４の内面に対してほぼ垂直となるよう前後方向に起こした際に、折曲げたループ面３３に対向する後面部４の内面の領域に、面ファスナ３０のフック面３６が接着等により設けられている。左右方向仕切り部材２１をバッグ本体２の後面部４の内面に対してほぼ垂直となるよう前後方向に起こした際に、折曲げたループ面３４に対向する後面部４の内面の領域に、面ファスナ３１のフック面３７が接着等により設けられている。
【００３５】
さらに、左右方向仕切り部材２１はその反上下方向仕切り部材２０側の側辺部のほぼ全域に、別の面ファスナ３２のループ面３５が折曲げ自在に設けられている。左右方向仕切り部材２１をバッグ本体２の後面部４の内面に対してほぼ垂直となるよう前後方向に起こした際に、ループ面３５に対向する右枠体部７の内面の領域に、面ファスナ３２のフック面３８が接着等により設けられている。
【００３６】
これら上下方向仕切り部材２０、左右方向仕切り部材２１の、前記した高さ、前後幅、左右幅を有する本体部分２０Ａ，２１Ａは、それぞれ内部に厚手の緩衝材Ｓを設けてその緩衝材Ｓを薄手の生地Ｓａで覆ってなる。図５にその構成を、左右方向仕切り部材２１を例として描いている。
【００３７】
上記構成の上下方向仕切り部材２０、左右方向仕切り部材２１によって、バッグ本体２内は、図６に示すように、パソコン４０を収納するための一つのパソコン収納部（左収納部）２２と、パソコン４０の付属品として、例えばマウス４１、アダプタ４３をそれぞれ別個に収納する上下二つの付属品収納部２４，２５とを形成することを可能としている。なお、パソコン収納部２２、付属品収納部２４，２５のうち、パソコン収納部２２が最大の面積（容積）を有する。
【００３８】
バッグ１は、パソコン収納部２２、付属品収納部２４，２５にそれぞれ相当する外周枠部５部分に、該外周枠部５の周方向に沿ってパソコン収納部２２、付属品収納部２４，２５を開閉する別個の第一〜第三スライドファスナ５０，５１，５２を有する。第一〜第三スライドファスナ５０，５１，５２はそれぞれ一般的に用いられているもので、テープ５３、エレメント５４、スライダ５５、摘み５６を有し、テープ５３が外周枠部５の生地に縫着されている。
【００３９】
パソコン収納部２２を開閉する第一スライドファスナ５０は、外周枠部５のうちパソコン収納部２２のほぼ全域に亙って正面視してコ字形に延長されており、付属品収納部２４，２５を開閉する第二，第三スライドファスナ５１，５２は、外周枠部５のうち、それぞれ付属品収納部２４，２５のほぼ全域に亙って正面視してＬ字形に延長されている。特に、第一スライドファスナ５０は、外周枠部５の前後方向中心に対して前方に位置ずれして配設されている。この構成により、パソコン収納部２２に対応する外周枠部５の前部５７と後部５８とで、図２に示すようにその前後方向の幅（エレメント５４を境界とした前後の幅）Ｂ１，Ｂ２が異なり、後部５６の幅Ｂ２が前部５５の幅Ｂ１に比べて大きくなっている。
【００４０】
第一スライドファスナ５０の両端部５０ａ，５０ｂは、それぞれ上下方向仕切り部材２０の上端部、下端部に対応する部分からやや位置ずれした部位、すなわちこの場合は、上下方向仕切り部材２０の上端部、下端部に対応する部分よりもわずかに左側に配置されている。
【００４１】
上側の付属品収納部２４を開閉する第二スライドファスナ５１は、外周枠部５の前後方向中心に配設されており、第二スライドファスナ５１のエレメント５４を境界とした外周枠部５の前部、後部の前後幅は同一となっている。第二スライドファスナ５１の上端部５１ａは、第一スライドファスナ５０の一端部５０ａに対して左右幅方向外方すなわち、上下方向仕切り部材２０の上端部を回避するよう右側に配設されている。第二スライドファスナ５１の下端部５１ｂは、左右方向仕切り部材２１の一方の端部に対応する部位からやや上方に配置されている。
【００４２】
下側の付属品収納部２５を開閉する第三スライドファスナ５２は、外周枠部５の前後方向中心に配設されており、第三スライドファスナ５２のエレメント５４を境界とした外周枠部５の前部、後部の前後幅は同一となっている。第三スライドファスナ５２の上端部５２ａは、左右方向仕切り部材２１の一方の端部に対応する部位からやや下方に配置されている。第三スライドファスナ５２の下端部５２ｂは、上下方向仕切り部材２０の下端部に対応する部位からやや右方に配置されている。
【００４３】
第一〜第三スライドファスナ５０，５１，５２のうち、特に第一スライドファスナ５０、第三スライドファスナ５２では、これらを閉じた際、そのスライダ５５が外周枠部５の下枠体部９側に位置しないよう設定されるスライドファスナを用いている。このようにすることにより、第一，第三スライドファスナ５０，５２を閉じた際に下枠体部９側に凹凸が少なくなるから、バッグ１を台等に立てて載置した際に、安定した姿勢を維持し易くなる。
【００４４】
なお、バッグ本体２の前面には、予備ポケット６０が形成され、この予備ポケット６０もスライドファスナ６１によって開閉される構成となっている。この予備ポケット６０は前面部３に左右幅方向のスリットを形成し、バッグ本体２の前面部３の裏面側に配置した袋体６０Ａを、スリットを開口とするよう前面部３の裏面側に縫着した構成としている。スリットは前面部３の左端縁部からほぼ上下方向仕切り部材２０まで左右幅方向に延長されている。そしてスリットの高さ位置は、左右方向仕切り部材２１の高さ位置にほぼ一致して形成されている。
【００４５】
上記構成のバッグ１において、上下方向仕切り部材２０は、ほぼバッグ本体２の高さに等しい高さを有するとともに、ほぼバッグ本体２の前後幅に等しい幅を有し、左右方向仕切り部材２１は、上下方向仕切り部材２０から側方に延長されて外周枠部５の右枠体部７に至る左右幅を有するとともに、ほぼバッグ本体２の前後幅に等しい幅を有するから、バッグ本体２内を確実に仕切ることができる。また、仕切り部材はバッグ本体２内を左右上下に仕切るものであって、バッグ本体２内を前後の収納部に仕切るものではない。したがって、バッグ１の前後方向の厚みが厚くなるのを抑えられ、しかも仕切り部材の面積は小さくてすみ、収納物を整然と収納することができる。
【００４６】
パソコン４０をパソコン収納部２２に収納する際は、バッグ本体１の後面部４が下になるようにしてバッグ１を置き、第一スライドファスナ５０のみを開いて、パソコン収納部２２に相当するバッグ本体２の前面部３のみを持上げるようにする。このようにすることで、パソコン収納部２２のみが開放されるものである。したがって、前面部３を全面的に開放することなく、パソコン４０をパソコン収納部２２に収納することができる。同様に、パソコン４０の付属品としてのマウス４１を収納するには、第二スライドファスナ５１を開いて付属品収納部２４に相当するバッグ本体２の前面部３のみを持上げるようにする。このようにすることで付属品収納部２４のみが開放されるから、マウス４１を付属品収納部２４に収納することができる。さらに、パソコン４０の付属品としてのアダプタ４３を収納するには、第三スライドファスナ５２のみを開いて付属品収納部２５に相当するバッグ本体２の前面部３のみを持上げるようにする。このようにすることで付属品収納部２５のみが開放されるから、アダプタ４３を付属品収納部２５に収納することができる。パソコン４０、マウス４１、アダプタ４３をそれぞれパソコン収納部２２、付属品収納部２４，２５に収納した後は、第一〜第三スライドファスナ５０，５１，５２をそれぞれ閉じるようにすれば、これら収納物を各収納部に確実に収納することができる。
【００４７】
特にこのバッグ１では、第一スライドファスナ５０を、外周枠部５の前後方向中心に対して前方に位置ずれして配設している。この構成により、パソコン収納部２２に対応する外周枠部５の前部５７と後部５８とで後部５６の幅Ｂ２が前部５５の幅Ｂ１に比べて大きくなっているから、パソコン収納部２２に相当するバッグ本体２の前面部３を持上げてパソコン４０をパソコン収納部２２に収納した際に、パソコン４０の外側部全体がバッグ本体２の後部５６で覆われるようになる。さらに、パソコン収納部２２は、各収納部のうち最大の面積を有していても、第一スライドファスナ５０を、外周枠部５の前後方向中心に対して前方に位置ずれさせているから、前部５７と後部５８とで前部５５の幅Ｂ１が後部５６の幅Ｂ２より小さい。したがって、パソコン収納部２２に相当するバッグ本体２の前面部３を持上げる際の抵抗は小さいから、その前面部３を小さな力で容易に開けることができる。
【００４８】
上記のようにしてパソコン４０、マウス４１、アダプタ４３を収納したバッグ１は、使用者が運搬用把手１５を把持することで容易に持運びすることができる。パソコン４０、マウス４１、アダプタ４３には当然に重力が働いているが、特にマウス４１は左右方向仕切り部材２１によって支持されることでマウス４１、アダプタ４３どうしが干渉することがない。さらに、持運びの際にバッグ１が左右方向に振れたとしても、上下方向仕切り部材２０によって、パソコン４０、マウス４１、アダプタ４３どうしが干渉しあうこともない。さらに上下方向仕切り部材２０、左右方向仕切り部材２１は緩衝材Ｓを有しているので、収納物として、電子部品を含んだ機構を有するパソコン４０等であって、これらが運搬中に上下方向仕切り部材２０、左右方向仕切り部材２１に当ったとしてもその衝撃は緩和されて電子部品等の機構を保護することができる。
【００４９】
パソコン４０をパソコン収納部２２に収納した状態から取出す際は、バッグ１の後面部４が下になるようにして、台や、あるいは使用者が電車に乗車して座席に座っているような場合では、使用者の膝（太腿）に載せるようにして、第一スライドファスナ５０を開き、パソコン収納部２２に相当するバッグ本体２の前面部３のみを持上げるようにしてパソコン４０を取出す。この際、バッグ本体２の前面部３のみを持上げるようにすればよく、前面部３を全面的に開放する必要がないから、狭い場所であってもパソコン４０を取出し易い。
【００５０】
上下方向仕切り部材２０および左右方向仕切り部材２１のそれぞれの前縁部２６ａ，２６ｂのほぼ全域をバッグ本体２の前面部３の内面に縫着固定し、後縁部２７，２８のほぼ全域には面ファスナ３０，３１を設けてバッグ本体２に着脱自在としているから、面ファスナ３０，３１を取外すことで収納部どうしを連通させることが可能であり、バッグ本体２の内部が汚れた場合等、掃除がし易い。
【００５１】
図８に別の実施形態を示す。図１〜図７に示したバッグ１の構成と異なる部分の構成を説明する。図１〜図７に示したバッグ１では、第一スライドファスナ５０の両端部５０ａ，５０ｂは、それぞれ上下方向仕切り部材２０の上端部、下端部に対応する部分からやや位置ずれするよう上下方向仕切り部材２０の上端部、下端部に対応する部分よりも左側に配置している。しかしながら図８に示した実施形態では、第一スライドファスナ５０の両端部５０ａ，５０ｂは、それぞれ上下方向仕切り部材２０の上端部、下端部に対応する部分からやや位置ずれするよう上下方向仕切り部材２０の上端部、下端部に対応する部分よりも右側に配置している。
【００５２】
すなわち、上端部５０ａは上側の付属品収納部２４に対応する外周枠部５の領域に位置し、下端部５０ｂは下側の付属品収納部２５に対応する外周枠部５の領域に位置している。また、第二スライドファスナ５１の上端部５１ａは、第一スライドファスナ５０の一端部５０ａに対して、上下方向仕切り部材２０の上端部を回避するよう左側に配設されている。すなわち、上端部５１ａはパソコン収納部２２に対応する外周枠部５の領域に位置している。他の構成は上記実施形態と同様であるので、同一の符号を付してその説明を省略する。
【００５３】
このように、スライドファスナの端部を、仕切り部材の端部に対応する部分を超えて、隣合う収納部に対応する外周枠部５の領域に配置するようにすることで、スライドファスナを開いた際に、確実に収納部の全部を開放することが可能なる。したがって、収納物の収納・取出しがいっそうし易くなる。
【００５４】
上記各実施形態では、上下方向仕切り部材２０および左右方向仕切り部材２１のそれぞれの前縁部２６ａ，２６ｂのほぼ全域をバッグ本体２の前面部３の内面に縫着固定し、後縁部２７，２８のほぼ全域には面ファスナ３０，３１を設けた構成としたが、これに限定されるものではない。例えば、前縁部２６ａ，２６ｂおよび後縁部２７，２８ともに面ファスナを設けて、上下方向仕切り部材２０および左右方向仕切り部材２１をバッグ本体２に対して着脱自在とする構成も考えられる。この場合、上下方向仕切り部材２０および左右方向仕切り部材２１そのものを交換することが可能になる。さらに面ファスナの代わりにドットボタン等の着脱手段を用いて上下方向仕切り部材２０および左右方向仕切り部材２１をバッグ本体２に対して着脱自在とすることも可能である。
【００５５】
あるいは、上下方向仕切り部材２０および左右方向仕切り部材２１のそれぞれの前縁部２６ａ，２６ｂのほぼ全域をバッグ本体２の前面部３の内面に縫着固定し、後縁部２７，２８のほぼ全域をバッグ本体２の後面部４の裏面に縫着固定する構成も考えられる。この場合、上下方向仕切り部材２０および左右方向仕切り部材２１がバッグ本体２に確実に固定されて上下方向仕切り部材２０および左右方向仕切り部材２１が、特に補強部材の機能を有してバッグ本体２の形状を保持し易くなる。
【図面の簡単な説明】
【００５６】
【図１】本考案の実施形態を示すバッグの全体斜視図。
【図２】同じくバッグの全体平面図。
【図３】同じくバッグ本体の前面部を切除した状態の斜視断面図。
【図４】同じく図３において仕切り部材を倒した状態の斜視断面図。
【図５】同じく図２におけるＡ−Ａ線断面図で、（ａ）は全体概略断面図、（ｂ）はその一部拡大図。
【図６】同じく各収納部にパソコン、付属品を収納した状態の正面図。
【図７】同じくパソコンをパソコン収納部に収納する際の斜視図。
【図８】別の実施形態を示すバッグの全体斜視図。
【符号の説明】
【００５７】
１…バッグ、２…バッグ本体、３…前面部、４…後面部、５…外周枠部、６，７…左右枠体部、８，９…上下枠体部、２０…上下方向仕切り部材、２０Ａ，２１Ａ…本体部分、２１…左右方向仕切り部材、２２，２３…左右収納部、２４，２５…付属品収納部、２６ａ，２６ｂ…前縁部、２７，２８…後縁部、３０，３１…面ファスナ、３３，３４…ループ面、３６…フック面、３７…フック面、４０…パソコン、４１…マウス、４３…アダプタ、５０，５１，５２…第一〜第三スライドファスナ、５７…前部、５８…後部５８、Ｂ１，Ｂ２…前後方向の幅、Ｓ…緩衝材
【図１】
0003117507.tif 000003
【図２】
0003117507.tif 000004
【図３】
0003117507.tif 000005
【図４】
0003117507.tif 000006
【図５】
0003117507.tif 000007
【図６】
0003117507.tif 000008
【図７】
0003117507.tif 000009
【図８】
0003117507.tif 000010